(57)【要約】【課題】  工事現場、浚渫等で発生する多様な土壌成分を有効に植生基盤として使用できる方法を提供する。【解決手段】  水でスラリー化した植生基盤材と団粒剤とを二液混合吹付機にて混合して法面に吹き付けることによる植生基盤造成工法において、団粒剤はカチオン性高分子化合物を含み、植生基盤材は水及び土壌成分に加えて、団粒助剤としてアニオン性水溶性有機高分子化合物を含み、植生基盤材と団粒剤との混合時に、前記アニオン性水溶性有機高分子化合物は前記カチオン性高分子化合物と反応してゲル構造を形成する、植生基盤造成工法。【選択図】      なし【特許請求の範囲】
【請求項１】
水でスラリー化した植生基盤材と団粒剤とを二液混合吹付機にて混合して法面に吹き付けることによる植生基盤造成工法において、団粒剤はカチオン性高分子化合物を含み、植生基盤材は水及び土壌成分に加えて、団粒助剤としてアニオン性水溶性有機高分子化合物を含み、植生基盤材と団粒剤との混合時に、前記アニオン性水溶性有機高分子化合物は前記カチオン性高分子化合物と反応してゲル構造を形成する、植生基盤造成工法。
【請求項２】
前記カチオン性高分子化合物は、第四級アミン基を有するポリアクリル酸エステル系高分子凝集剤、第四級アミン基を有するポリメタクリル酸エステル系高分子凝集剤及びポリアミジン系高分子凝集剤からなる群より選ばれる、請求項１記載の植生基盤造成工法。
【請求項３】
前記団粒剤は植生基盤材中のアニオン性水溶性有機高分子化合物と反応してゲル構造を形成することができる金属イオンをさらに含む、請求項１又は２記載の植生基盤造成工法。
【請求項４】
前記金属イオンはアルミニウムイオン又は鉄イオンを含有する無機塩から供給される、請求項３記載の植生基盤造成工法。
【請求項５】
前記アニオン性水溶性有機高分子化合物は、アルギン酸ナトリウム、グアーガムカルボキシメチルセルロース、カルボキシメチルデンプン及びそれらの組み合わせからなる群より選ばれる、請求項１〜４のいずれか１項記載の植生基盤造成工法。
【発明の詳細な説明】
【技術分野】
【０００１】
本発明は二液混合吹付機による植生基盤造成工法に関する。
【背景技術】
【０００２】
土木工事、自然災害等で発生した裸地斜面（法面）は、環境保全、崩落防止、景観回復等を目的として、植生基盤材を吹き付け、緑化をはかられる事が通常である。この目的のための緑化工法としてはピートモス、種子等を肥料と共に吹き付ける厚層基材吹き付け工、又土壌成分、バーク堆肥等をスラリー化したものと、団粒剤溶液とを２液混合吹付機にて、混合しながら施工面に吹き付けることで、団粒構造を有した植生基盤を造成できる高次団粒緑化工法等があり、広く普及している。例えば、特許文献１（特開平１−３１００１９号公報）を参照されたい。
【０００３】
裸地斜面（法面）を緑化するための工法として、上記の高次団粒緑化工法のほか、厚層基材吹付工（例えば、特許文献２（特開平８−１０５０５０号公報））等が広く普及しているが、植生基盤を造成するための材料は工法に適した、特定の性状を有する材料しか用いる事ができなかった。
【０００４】
特に、植物の生育に必須である土壌成分は粒径、構成成分が多種多様であり、その性状を考慮する事なく植生基盤造成工法に適用する事は甚だ困難であり、土壌の選択は必須であった。
【０００５】
高次団粒緑化工法では、土壌と団粒剤（高分子凝集剤）を反応させ、団粒反応による土壌を主成分とする植生基材を塑性化し法面に植生基盤を造成するため、土壌の性質によっては団粒反応が十分行われず、従って塑性化も十分でなく、吹き付け基盤が流れ落ち、基盤層造成ができない場合があった。
【０００６】
【特許文献１】特開平１−３１００１９号公報
【特許文献２】特開平８−１０５０５０号公報
【発明の開示】
【発明が解決しようとする課題】
【０００７】
本発明は、工事現場、浚渫等で発生する多様な土壌成分を有効に植生基盤として使用できる方法を開発する事を目的とする。
【課題を解決するための手段】
【０００８】
本発明は、１つの態様において、水でスラリー化した植生基盤材と団粒剤とを二液混合吹付機にて混合して法面に吹き付けることによる植生基盤造成工法において、団粒剤はカチオン性高分子化合物を含み、植生基盤材は水及び土壌成分に加えて、団粒助剤としてアニオン性水溶性有機高分子化合物を含み、植生基盤材と団粒剤との混合時に、前記アニオン性水溶性有機高分子化合物は前記カチオン性高分子化合物と反応してゲル構造を形成する、植生基盤造成工法を提供する。
【発明の効果】
【０００９】
本発明では、植生基盤材は多種多様の土壌成分や、ゲル構造形成能を有するアニオン性水溶性有機高分子化合物をスラリー化したものであり、このアニオン性水溶性有機高分子化合物は団粒剤として用いるカチオン性高分子化合物と反応してゲル構造を形成することができる。形成されるゲル構造は、原料土壌の性状によらずに弾力性があるので、容易に法面上で塑性化しかつ安定化した植生基盤とすることができる。また、アルミニウム、鉄等の金属イオンもアニオン性水溶性有機高分子化合物と反応してゲル構造を形成することができる。
又、アニオン性水溶性高分子化合物の特徴である接着性のため、ゲル構造形成後も接着能もある程度有しているため、吹き付け地山との接合性があり、吹付施工時地山への付着性に優れている。流動を少なくするゲル形成に加えてこの効果により岩盤地山などへの基盤造成が容易に行える。
又、アニオン性水溶性高分子化合物のゲル構造中には多量の水分を含有し、且つ、構造中に取り込まれているため蒸発速度が制御され、植生基盤造成後、乾燥による発芽生育障害を大幅に低減できる。
更には施工直後凍結・融解による基盤構造の崩壊が懸念される厳冬期施工時、水の凍結による体積膨張のストレスを弾力のあるゲル構造により吸収するため凍結融解による基盤構造の破壊が低減される。
【発明を実施するための最良の形態】
【００１０】
本発明は、二液混合方法を用いる植生基盤造成工法において、植生基盤材として工事現場発生土、浚渫土等の土壌成分に加えて、アニオン性水溶性有機高分子化合物、例えばアルギン酸ナトリウム、グアーガムカルボキシメチルセルロース、カルボキシメチルデンプン又はそれらの組み合わせを添加してスラリー化し、スラリー化植生基盤材を形成する。一方、別に水に溶解したカチオン性高分子凝集剤、例えば、第四級アミン基を有するポリアクリル酸エステル系高分子凝集剤、第四級アミン基を有するポリメタクリル酸エステル系高分子凝集剤又はポリアミジン系高分子凝集剤を団粒剤の水溶液として用意する。また、団粒剤の水溶液には、鉄イオン、アルミニウムイオンなどの金属イオンを含有する無機塩をさらに含むこともできる。これらの植生基盤材と団粒剤との混合吹き付けにより、施工面にゲル構造を有する基盤層を形成させる。このとき、ゲル構造を形成することから、土壌の性質によらず、吹き付け基盤が流下する事なく安定塑性化できる。
【００１１】
植生基盤材は、土壌成分と、アニオン性水溶性有機高分子化合物とを水中に含む。さらに、有機性繊維成分や、追加的に添加される粘土成分などをも含んでもよい。植物の生育に必須である土壌成分は、本発明においては特に限定はないが、ノズルで吹き付ける工法であるので１０mm以下の礫含量が２．５％以下が望ましい。使用できる土壌成分としては、河川・湖沼・港湾・ダムなどの浚渫土、建設・土木工事等で発生する、所謂現場発生土、及び通常入手できる土壌等、又、別の表現で言えば、砂質土、砂、黒ぼく土、まさ土、赤土等、粒径組成、及び含有成分の違いに関係なく使用する事ができ、植物の生育に適した、高次団粒構造を有する植生基盤を形成できる。
【００１２】
高次団粒構造を有する植生基盤を形成することができる理由は明確ではないが、次のように考えられる。自然界での土壌の団粒構造形成は、岩石の風化した単粒体や火山灰（以下、粘土と称す）と植物及びみみず等の微小動物、微生物の相互作用によっている。単粒体の風化生成物や火山灰等に若干の植物が生えると、その落葉・落枝・枯根などが微小動物、微生物などの餌となり、それらの排泄物、分泌物及び粘土の溶解物等が粘土粒子を結合し、植物の生育に適した多孔性の構造となり植物が繁茂するようになり、一層、微生物、微小動物の活動が活発になる。このよう循環型の生態系が確立される事により、ついには風化単粒体や火山灰は植物の生育に好適な団粒構造を有した土壌となる。
【００１３】
土壌中の微生物、微小動物は多様な生産物のなかで、団粒形成に重要な働きを有している物質は、多糖類、ヘミセルロースやウロン酸、フルクトサン及び多くの天然重合体であると言われている。特に多糖類は直鎖状で柔軟な分子から構成されていて、幾つかの粒子を一度に結合できる能力を有しているとされている。又、酸化鉄や酸化アルミニウムは結合力の弱い団粒にかなりの安定性を付与すると言われている。
【００１４】
本発明においては、これらの自然界の現象に基づいて、微生物、微小動物の排泄物、分泌物に代わって、多糖類の１種でゲル形成能を有するアルギン酸ナトリウムなどのアニオン性水溶性高分子化合物を用い、そして、天然土壌中に存在する酸化鉄、酸化アルミニウムの代わりに、アニオン性水溶性高分子化合物と反応してゲル化する能力を有する、鉄、アルミニウムの無機塩を用いた。
【００１５】
その結果、砂のように通常の凝集剤で凝集しにくい単粒子でも、多糖類が多くの単粒子間の結合を行ったり、又、砂粒子表面吸着され、更に、多糖類であるアルギン酸ナトリウム等のカルボキシル基、スルホン基等がカチオン性高分子凝集剤や金属イオンと反応し、単粒子間を架橋すると共に、全体をゲル化する事によって自然の団粒構造類似の形態を形成すると考えられる。
【００１６】
多糖類のアルギン酸ナトリウムなどのゲル形成を利用しているため、土壌の性質によらず、即ち、土壌粒子が有しているイオン性、及び荷電の多寡によらず、団粒構造形成が可能になると考えられる。
【００１７】
植生基盤材スラリー中に含まれる土壌成分の量は、特に限定されないが、一般に、砂成分主体の場合には３０００〜４０００Ｌ／タンク（５０００Ｌ）、粘土質の沖縄赤土等の場合には２０００〜３０００Ｌ／タンク（５０００Ｌ）となる。
【００１８】
本発明の植生基盤材は好ましくは有機性繊維成分をさらに含み、それにより、形成される基盤層の構造をより多孔性にし、又、基盤層の乾燥によるひび割れを低減することができる。有機性繊維成分としては、例えば、樹皮、ココピート、ピートモス、ヤシ繊維、バーク堆肥、蓄糞堆肥、草炭等の天然系有機繊維、ビニロン、ナイロン、ポリエステル、キュプラ、アセテート等の合成系有機繊維等が挙げられる。
【００１９】
添加量は、一般に、２００〜１０００Ｌ／タンク（５０００Ｌ）であり、２００Ｌ／タンク（５０００Ｌ）より少ないと形成された基盤が乾燥にともないひび割れる傾向が強くなり、降雨等による浸食を受けやすくなり好ましくなく、又、１０００Ｌ／タンク（５０００Ｌ）を超えると形成基盤が粗構造となり乾燥害を受けやすくなり好ましくない。
【００２０】
植生基盤材は、土壌成分に含まれる粘土成分に加えて、さらに追加的に粘土成分を添加してもよい。粘土成分は砂などを主成分とする浚渫土、現場発生土の粘土成分を補うために添加されうる。粘土成分としては、ゼオライト、ベントナイト等、通常に土壌改良材として用いられる物が使用できる。１タンク（５０００Ｌ）当たりの添加量は５０〜３００Kgが望ましい。３０Kgより少ないと砂分が多い土壌の場合、団粒反応性が悪化する傾向があり、又、３００Kg以上の場合粘土成分を多量に含む赤土等の場合、団粒剤を多量に要するようになり好ましくない。
【００２１】
ゲル化能を有するアニオン性水溶性有機高分子化合物はその構造中にカルボキシル基、スルホン基等を有しており、カチオン性の化合物、例えばカチオン性高分子凝集剤、アルミニウム塩などの金属塩と反応してゲル構造を形成すると考えられる。アニオン性水溶性有機高分子化合物としてはアルギン酸ナトリウム、グアーガム、カルボキシメチルセルロース、カルボキシメチルデンプン、カルボキシメチルグアーガムが好適に使用できる。
【００２２】
１タンク（５０００Ｌ）あたりの添加量は２〜３０Kgが望ましく、２Kg以下ではゲル形成量が少なく流動防止効果が十分得られず、又、３０Kg以上の場合は調製したスラリーの粘度が高くなりスラリーポンプでの送液が困難となる。
【００２３】
一方、カチオン性高分子化合物は団粒剤として作用し、かつ、アニオン性水溶性有機高分子化合物とゲル化反応を起こす。このようなカチオン性高分子化合物としては、例えば、第四級アミン基を有するポリアクリル酸エステル系高分子凝集剤、第四級アミン基を有するポリメタクリル酸系高分子凝集剤及びポリアミジン系高分子凝集剤を用いることができる。これらの凝集剤のなかでカチオン化度の高い、通称強カチオン性高分子凝集剤が望ましい。
【００２４】
適当な凝集剤としてはサンフロックＣ−００９Ｐ（商品名）、ＣＨ−０１９Ｐ（商品名）、ＣＥ−６８２Ｐ（商品名）（いずれも三洋化成工業株式会社製）、ハイモロックＺＰ−７００（商品名）（ハイモ株式会社製）、ハイセットＣ−２３７１（商品名）、Ｃ−５００（商品名）、Ｃ−２００Ｈ（商品名）（いずれも第一工業製薬株式会社製）、スミフロックＦＣ−３００（商品名）（住友化学工業株式会社製）等が挙げられる。
【００２５】
使用量は４〜２０Kg／タンク（５００Ｌ）が望ましく、４Kg以下では団粒反応、又はゲル化反応のどちらかが不充分になる傾向があり、２０Kgを超えると過剰となる。
【００２６】
団粒剤には、アニオン性水溶性有機高分子化合物とゲル化反応を起こすものとして、上記のカチオン性高分子化合物以外に、金属イオンを含んでよい。金属イオンの供給源としてはかかる金属イオンを含有する無機塩を用いることができる。例えば、鉄イオン、アルミニウムイオンを含む無機塩が挙げられ、より詳細には限定はないが、硫酸カリウムアルミニウム、硫酸アルミニウム（硫バン）、硫酸鉄、塩化第二鉄、硫酸鉄、ポリ鉄（商品名）（日鉄化学工業製）等を使用できる。
【００２７】
使用量は０〜１０Kg／タンク（５００Ｌ）で、土壌によっては鉄イオン、アルミニウムイオンを含む無機塩を添加せずにカチオン性高分子凝集剤のみでゲル化可能な場合もある。又、１０Kg以上添加したもゲル化能はそれほど増大せず、換えってpHが好適な範囲を逸脱する場合もあり好ましくない。
【００２８】
本発明の方法は二液混合吹付機を用い、例えば、吹付機の１態様の略図を図１に示す。二液混合吹付機１はスラリータンク２及び団粒剤タンク３を含む。スラリータンク２には土壌成分、アニオン性有機高分子化合物、さらに必要に応じて、追加の粘土成分、有機性繊維成分などを水と混合して、スラリー化させた植生基盤材が含まれている。団粒剤タンク３には、カチオン性高分子化合物、さらに、必要に応じて、鉄イオンやアルミニウムイオンなどの金属イオンを含む水溶液が含まれている。タンク２中のスラリーはスラリーポンプ４によりホースを介して圧送され、団粒剤水溶液は団粒剤ポンプ５によりホースを介して圧送されるようになっている。スラリー及び団粒剤水溶液はスラリー調節コック６及び団粒剤調節コック７により流量が調節できるようになっている。スラリーポンプ４により圧送されたスラリーに対して、団粒剤ポンプ５により圧送された団粒剤水溶液を圧入し、合流させ、吹付ノズル８において攪拌・混合しながら、施工面に吹き付けるようになっている。なお、スラリーと団粒剤水溶液との混合は団粒反応が進行して粘度を高めることがある。このような場合には、団粒剤水溶液の圧入をノズル８の直前で行なうか、又は、ノズル８に団粒剤水溶液圧入部を設けてノズル８において行なうとよい。また、ノズル８は好ましくは空気吸引口を備えており、スラリー及び団粒剤溶液の混合流の流速により生じる吸引作用によってノズル８内に空気が吸引され、スラリーと団粒剤がさらに激しく混合される。
【００２９】
本発明の植生基盤材スラリーと団粒剤溶液の好ましい態様を示すと以下のとおりである。
植生基盤材スラリー（主タンク）
土壌成分                                    ２０００〜４０００Ｌ／タンク
有機性繊維成分                                ２００〜１０００Ｌ／タンク
粘土成分                                          ５０〜３００Kg／タンク
アニオン性水溶性高分子化合物                          ２〜３０Kg／タンク
水                                                        バランス
上記成分を混合してスラリー化し、全量５０００Ｌ（１タンク）とする。
【００３０】
団粒剤溶液（副タンク）
カチオン性高分子凝集剤                                ４〜２０Kg／タンク
鉄又はアルミニウムの無機塩                            ０〜１０Kg／タンク
水                                                        バランス
以上を全量５００Ｌ（１タンク）となるように溶解する。
【実施例】
【００３１】
本発明を実施例にて説明するが、本発明は以下の実施例で限定されるものではない。
実施例１
工事現場発生土として沖縄県の中頭マージ（赤土）を用い以下の処方の植生基盤材を調合し吹き付け装置にて吹き付け、植生基盤を造成した。
【００３２】
「主タンク調合」
現場発生土        中頭マージ                            ３０００Ｌ
アセテート短繊維                                          ２５０Ｌ
笠岡クレー                                                １００Kg
アルギン酸ナトリウム                                        ２０Kg
水                                                      ３０００Ｌ
【００３３】
「副タンク調合」
高分子凝集剤    三洋化成工業製  ＣＨ−００９Ｐ                ６Kg
硫酸鉄                                                        ３Kg
水                                                        ５００Ｌ
【００３４】
二液吹付機として（株）彩光製  ＳＳ−２（商品名）を用いた。以下、図１を参照されたい。ＳＳ−２の主タンク２で調合された植生基盤材スラリーはスラリーポンプ４によりホースを介して送液される。ホース途中にある注入口より、副タンク３で調合された高分子凝集剤と硫酸バンドの水溶液が注入され、ホース内で撹拌混合されながらノズル８に達する。ノズル８においてスラリー流速によって生じた吸引力により空気吸引口より空気がノズル内に吸引され、吸引された空気によりスラリーは一層激しく撹拌混合され、反応を完結しながらノズル口より吐出され、法面へ達する。
【００３５】
形成された基盤はゲル特有の弾力性を有し、アニオン性水溶性高分子の特徴と思われる接着性により地山への親和性が高いためか、流下する事なく、約７cmの基盤層を一度で容易に形成できた。
【００３６】
実施例２
工事現場発生土として山砂を用い以下の処方の植生基盤材を調合し、二液吹付機にて吹き付け、植生基盤を造成した。
【００３７】
「主タンク調合」
現場発生土        山砂                                  ３８００Ｌ
アセテート短繊維                                          ２５０Ｌ
ベントナイト                                              １００Kg
カルボキシメチルデンプン                                    １５Kg
水                                                      ２６００Ｌ
【００３８】
「副タンク調合」
高分子凝集剤    住友化学製  ＦＣ３００                      １０Kg
水                                                        ５００Ｌ
【００３９】
二液吹付機として（株）彩光製  ＳＳ−２（商品名）を用いた。以下、図１を参照されたい。ＳＳ−２の主タンク２で調合された植生基盤材スラリーはスラリーポンプ４によりホースを介して送液される。ホース途中にある注入口より、副タンク３で調合された高分子凝集剤と硫酸バンドの水溶液が注入され、ホース内で撹拌混合されながらノズル８に達する。ノズル８においてスラリー流速によって生じた吸引力により空気吸引口より空気がノズル内に吸引され、吸引された空気によりスラリーは一層激しく撹拌混合され、反応を完結しながらノズル口より吐出され、法面へ達する。
【００４０】
形成された基盤はゲル特有の弾力性を有し、アニオン性水溶性高分子の特徴と思われる接着性により地山への親和性が高いためか、流下する事なく、約７cmの基盤層を一度で容易に形成できた。
【００４１】
実施例３
実施例１、実施例２の植生基盤材に混合したヤマハギ（６ｇ／ｍ2 ）、コマツナギ（４ｇ／ｍ2 ）、イタチハギ（５ｇ／ｍ2 ）、シャリンバイ（４ｇ／ｍ2 ）、ネズミモチ（１ｇ／ｍ2 ）の発芽生育状況を３月施工後２月目になる５月下旬に観察したところ各植物とも順調に生育していた。
尚、処方には記載していないが、肥料分として高度化成１５−１５−１５（１０Kg／１００ｍ2 ）、化学合成緩効窒素肥料（ＣＤＵ）（１０Kg／１００ｍ2 ）を添加している。
【図面の簡単な説明】
【００４２】
【図１】二液混合吹付機の１態様の略図を示す。
【符号の説明】
【００４３】
１    二液混合吹付機
２    スラリータンク
３    団粒剤タンク
４    スラリーポンプ
５    団粒剤ポンプ
６    スラリー調節コック
７    団粒剤調節コック
８    吹付ノズル
【図１】
2006057276.tif 000002
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
水でスラリー化した植生基盤材と団粒剤とを二液混合吹付機にて混合して法面に吹き付けることによる植生基盤造成工法において、団粒剤はカチオン性高分子化合物を含み、植生基盤材は水及び土壌成分に加えて、団粒助剤としてアニオン性水溶性有機高分子化合物を含み、植生基盤材と団粒剤との混合時に、前記アニオン性水溶性有機高分子化合物は前記カチオン性高分子化合物と反応してゲル構造を形成する、植生基盤造成工法。
【請求項２】
前記カチオン性高分子化合物は、第四級アンモニウム基を有するポリアクリル酸エステル系高分子凝集剤、第四級アンモニウム基を有するポリメタクリル酸エステル系高分子凝集剤及びポリアミジン系高分子凝集剤からなる群より選ばれる、請求項１記載の植生基盤造成工法。
【請求項３】
前記団粒剤は植生基盤材中のアニオン性水溶性有機高分子化合物と反応してゲル構造を形成することができる金属イオンをさらに含む、請求項１又は２記載の植生基盤造成工法。
【請求項４】
前記金属イオンはアルミニウムイオン又は鉄イオンを含有する無機塩から供給される、請求項３記載の植生基盤造成工法。
【請求項５】
前記アニオン性水溶性有機高分子化合物は、アルギン酸ナトリウム、グアーガムカルボキシメチルセルロース、カルボキシメチルデンプン及びそれらの組み合わせからなる群より選ばれる、請求項１〜４のいずれか１項記載の植生基盤造成工法。
【手続補正２】
【補正対象書類名】明細書
【補正対象項目名】００１０
【補正方法】変更
【補正の内容】
【００１０】
本発明は、二液混合方法を用いる植生基盤造成工法において、植生基盤材として工事現場発生土、浚渫土等の土壌成分に加えて、アニオン性水溶性有機高分子化合物、例えばアルギン酸ナトリウム、グアーガムカルボキシメチルセルロース、カルボキシメチルデンプン又はそれらの組み合わせを添加してスラリー化し、スラリー化植生基盤材を形成する。一方、別に水に溶解したカチオン性高分子凝集剤、例えば、第四級アンモニウム基を有するポリアクリル酸エステル系高分子凝集剤、第四級アンモニウム基を有するポリメタクリル酸エステル系高分子凝集剤又はポリアミジン系高分子凝集剤を団粒剤の水溶液として用意する。また、団粒剤の水溶液には、鉄イオン、アルミニウムイオンなどの金属イオンを含有する無機塩をさらに含むこともできる。これらの植生基盤材と団粒剤との混合吹き付けにより、施工面にゲル構造を有する基盤層を形成させる。このとき、ゲル構造を形成することから、土壌の性質によらず、吹き付け基盤が流下する事なく安定塑性化できる。
【手続補正３】
【補正対象書類名】明細書
【補正対象項目名】００２３
【補正方法】変更
【補正の内容】
【００２３】
一方、カチオン性高分子化合物は団粒剤として作用し、かつ、アニオン性水溶性有機高分子化合物とゲル化反応を起こす。このようなカチオン性高分子化合物としては、例えば、第四級アンモニウム基を有するポリアクリル酸エステル系高分子凝集剤、第四級アンモニウム基を有するポリメタクリル酸系高分子凝集剤及びポリアミジン系高分子凝集剤を用いることができる。これらの凝集剤のなかでカチオン化度の高い、通称強カチオン性高分子凝集剤が望ましい。